(57)【特許請求の範囲】
【請求項１】
洗浄水供給装置と、
吐水孔が形成される便鉢を有する水洗大便器と、
前記洗浄水供給装置から供給される洗浄水を前記吐水孔に導くための導水路と、
前記導水路内の水を排出するための水抜き通路と、を備え、
前記洗浄水供給装置又は前記導水路は、前記洗浄水供給装置による洗浄水の供給を停止した状態で該導水路内の水を前記水抜き通路を通して排出するとき、該導水路内において該洗浄水供給装置から前記吐水孔に向かう空気の流入が遮断されるように構成されることを特徴とする便器装置。
【請求項２】
前記導水路には、前記洗浄水供給装置から前記吐水孔に向かう経路の途中位置に水溜部が設けられ、
前記水溜部には、該水溜部に溜められる水により水封される水封部が設けられることを特徴とする請求項１に記載の便器装置。
【請求項３】
前記水抜き通路は、水の自重によって該水を排出可能であることを特徴とする請求項１または２に記載の便器装置。
【請求項４】
前記便鉢の底部に接続される排水通路部を更に備え、
前記水抜き通路は、前記便鉢又は前記排水通路部に開口する吐出孔を有し、
前記吐出孔は、前記吐水孔からの洗浄水の吐き出しが終了したとき、前記排水通路部及び前記便鉢の底部に溜められる水の中で水没する位置に配置されることを特徴とする請求項１から３のいずれかに記載の便器装置。
【請求項５】
前記便鉢の底部に接続される排水通路部を更に備え、
前記水抜き通路は、前記便鉢又は前記排水通路部に開口する吐出孔を有し、
前記吐水孔からの洗浄水の吐き出しが終了してから、前記吐出孔からの洗浄水の吐き出しが終了することを特徴とする請求項１から４のいずれかに記載の便器装置。
【請求項６】
前記水抜き通路は、前記導水路から洗浄水を導入するための水導入口を有し、
前記水導入口は、前記吐水孔より低位置に全体が配置されることを特徴とする請求項１から５のいずれかに記載の便器装置。
【請求項７】
吐水孔が形成される便鉢と、
洗浄水供給装置から供給される洗浄水を前記吐水孔に導くための通水路と、
前記通水路内の水を排出するための水抜き通路と、を備え、
前記通水路は、前記洗浄水供給装置による洗浄水の供給を停止した状態で前記通水路内の水を前記水抜き通路を通して排出するとき、該通水路内において該洗浄水供給装置から前記吐水孔に向かう空気の流入が遮断されるように構成されることを特徴とする水洗大便器。
【発明の詳細な説明】
【技術分野】
【０００１】
本発明は、便器装置及び水洗大便器に関する。
【背景技術】
【０００２】
便器装置は、一般には、洗浄水供給装置と、吐水孔が形成される便鉢を有する水洗大便器と、洗浄水供給装置から供給される洗浄水を吐水孔に導くための導水路とを備えている。この洗浄水供給装置としては、たとえば、開放式タンク内の洗浄水を自重により送り出す重力給水方式を用いたものや（特許文献１参照）、上水道の給水圧により洗浄水を送り出す水道直圧方式を用いたもの等が知られている。いずれの便器装置も、通常、便鉢内の洗浄を開始する前の待機状態にあるとき、オーバーフロー通路やバキュームブレーカ等によって、洗浄水供給装置と便鉢の吐水孔との間が導水路内の空気を通して連通された状態になっている。
【先行技術文献】
【特許文献】
【０００３】
【特許文献１】特開２０１２−７２５７９号公報
【発明の概要】
【発明が解決しようとする課題】
【０００４】
ところで、水洗大便器では、便器洗浄後、導水路に残留した水がすじ状の水（以下、すじ状水という）となって、吐水孔から便鉢の内面を伝って流れ落ちることがある。このすじ状水は、便鉢の内面を伝う経路を不規則に変えながら流れるうえ、長期間に亘って流れることもあり、見栄えの低下を招く原因となる。本発明者が検討したところ、すじ状水の長期間の流れ落ちを防止するという観点からは、従来の便器装置は改善の余地があるという認識を得た。
【０００５】
本発明は、このような課題に鑑みてなされ、その目的は、すじ状水の長期間の流れ落ちを効果的に防止するための技術を提供することにある。
【課題を解決するための手段】
【０００６】
上記課題を解決するための本発明のある態様は便器装置である。
便器装置は、洗浄水供給装置と、吐水孔が形成される便鉢を有する水洗大便器と、前記洗浄水供給装置から供給される洗浄水を前記吐水孔に導くための導水路と、前記導水路内の水を排出するための水抜き通路と、を備え、前記洗浄水供給装置又は前記導水路は、該導水路内の水を前記水抜き通路を通して排出するとき、該導水路内において該洗浄水供給装置から前記吐水孔に向かう空気の流入が遮断されるように構成される。
【０００７】
この態様によれば、導水路内の水を水抜き通路を通して排出するとき、導水路内の水には水抜き通路に向かう負圧が付与される。また、この態様によれば、導水路内の水を水抜き通路を通して排出するとき、導水路の上流端を通さずに吐水孔のみを通して導水路内に空気を取り込む状態にすることができ、吐水孔から導水路内への空気の取り込み量を大きくできる。これにより、導水路内において吐水孔の周囲の水を、水抜き通路に向かう負圧によって、水抜き通路に移動させ易くなる。これにより、導水路内の排出すべき洗浄水の多くを水抜き通路から排出できる。この結果、導水路内の排出すべき洗浄水の吐水孔からの排出量を減らすことができ、すじ状水の長期間の流れ落ちを効果的に防止することができる。
【０００８】
本発明の他の態様は水洗大便器である。
水洗大便器は、吐水孔が形成される便鉢と、洗浄水供給装置から供給される洗浄水を前記吐水孔に導くための通水路と、前記通水路内の水を排出するための水抜き通路と、を備え、前記通水路は、前記通水路内の水を前記水抜き通路を通して排出するとき、該通水路内において該洗浄水供給装置から前記吐水孔に向かう空気の流入が遮断されるように構成される。
【０００９】
この態様によれば、通水路内の水を水抜き通路を通して排出するとき、通水路内の水には水抜き通路に向かう負圧が付与される。また、この態様によれば、通水路内の水を水抜き通路を通して排出するとき、通水路の上流端を通さずに吐水孔のみを通して通水路内に空気を取り込む状態にすることができ、吐水孔から通水路内への空気の取り込み量を大きくできる。これにより、通水路内において吐水孔の周囲の水を、水抜き通路に向かう負圧によって水抜き通路に移動させ易くなる。これにより、通水路内の排出すべき洗浄水の多くを水抜き通路から急速に排出できる。この結果、通水路内の排出すべき洗浄水の吐水孔からの排出量を減らすことができ、すじ状水の長期間の流れ落ちを効果的に防止することができる。
【発明の効果】
【００１０】
本発明によれば、すじ状水の長期間の流れ落ちを効果的に防止することができる。
【図面の簡単な説明】
【００１１】
【図１】第１実施形態に係る便器装置の構成図である。
【図２】第１実施形態に係る大便器の側面断面図である。
【図３】図２のＡ−Ａ線断面図である。
【図４】図３のＢ−Ｂ線断面における左リム通水路及び右リム通水路のみを示す図である。
【図５】参考例に係る便器装置を示す構成図である。
【図６】図６（ａ）は第１実施形態に係る洗浄水供給装置が洗浄水を供給する状態から、洗浄水の供給を停止した状態に切り替わった直後の状態を示し、図６（ｂ）は図６（ａ）の状態から変化した状態を示し、図６（ｃ）は図６（ｂ）の状態から変化した状態を示し、図６（ｄ）は図６（ｃ）の状態から変化した状態を示す。
【図７】第１実施形態に係る便器装置の導水路を模式的に示す図であり、図７（ａ）は洗浄水供給装置が洗浄水を供給する状態から、洗浄水の供給を停止した状態に切り替わった直後の状態を示し、図７（ｂ）は図７（ａ）の状態から変化した状態を示す。
【図８】参考例に係る便器装置の導水路を模式的に示す図であり、図８（ａ）は洗浄水供給装置が洗浄水を供給する状態から、洗浄水の供給を停止した状態に切り替わった直後の状態を示し、図８（ｂ）は図８（ａ）の状態から変化した状態を示す。
【図９】第２実施形態に係る便器装置の構成図である。
【図１０】図１０（ａ）は第２実施形態に係る洗浄水供給装置が洗浄水を供給する状態から、洗浄水の供給を停止した状態に切り替わった直後の状態を示し、図１０（ｂ）は図１０（ａ）の状態から変化した状態を示し、図１０（ｃ）は図１０（ｂ）の状態から変化した状態を示し、図１０（ｄ）は図１０（ｃ）の状態から変化した状態を示す。
【発明を実施するための形態】
【００１２】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１３】
［第１の実施の形態］
図１は第１実施形態に係る便器装置１０を示す構成図である。
便器装置１０は、洗浄水を供給するための洗浄水供給装置１２と、二つのリム吐水孔１４Ｌ、１４Ｒ（図示は一つのみ）が形成される便鉢１６を有する水洗大便器１８とを備える。また、便器装置１０は、さらに、洗浄水供給装置１２から供給される洗浄水をリム吐水孔１４Ｌ、１４Ｒに導くための導水路２０と、導水路２０内の水を排出するための水抜き通路２２とを備える。本実施形態の便器装置１０は導水路２０に主な特徴の一つがあるが、先に周辺構造から説明する。
【００１４】
洗浄水供給装置１２は、開放式タンク２４（以下、単にタンク２４という）内の洗浄水を自重により送り出す重力給水方式によって洗浄水を供給する。詳しくは、洗浄水供給装置１２は、洗浄水を溜めるためのタンク２４を備える。タンク２４の底面には、洗浄水を排出するための排水孔２４ａが形成される。排水孔２４ａはタンク２４の底面から下方に向かって延びている。
【００１５】
洗浄水供給装置１２は、排水孔２４ａを開閉するための第１開閉弁２６を備える。第１開閉弁２６は、不図示の回転ハンドルにボールチェーン２８を介して連結されている。回転ハンドルは使用者等により回転操作可能である。第１開閉弁２６は回転ハンドルの回転により上昇し、排水孔２４ａを開く。タンク２４内の洗浄水は、第１開閉弁２６が排水孔２４ａを開くと、導水路２０を通して大便器１８のリム吐水孔１４Ｌ、１４Ｒに供給される。第１開閉弁２６は、タンク２４内の洗浄水が排出されると下降し、排水孔２４ａが閉じられる。第１開閉弁２６が排水孔２４ａを閉じると、タンク２４内からの洗浄水の供給が停止する。このように洗浄水供給装置１２は、第１開閉弁２６が昇降することで、導水路２０に対して洗浄水を供給する状態と、導水路２０に対する洗浄水の供給を停止する状態とが切り替えられる。
【００１６】
タンク２４内には上水道等の給水源から配管３０を通して洗浄水が供給される。配管３０には配管３０内の水路を開閉するための第２開閉弁３２が設置される。第２開閉弁３２は電磁弁であり、制御装置３３により開閉状態が制御される。制御装置３３は、タンク２４内の洗浄水が排出されると、予め定められた時間の間、第２開閉弁３２を開弁状態にしてタンク２４内に洗浄水を補給する。
【００１７】
洗浄水供給装置１２の排水孔２４ａには、タンク２４内に貯溜される洗浄水が所定水位を超えたときに、その水位を超えた洗浄水を排出するためのオーバーフロー通路３４が連通されている。洗浄水供給装置１２の排水孔２４ａは、第１開閉弁２６が排水孔２４ａを閉じて洗浄水の供給が停止した状態にあるとき、オーバーフロー通路３４を通して大気に開放されている。
【００１８】
図２は大便器１８の側面断面図である。
大便器１８は陶器を素材とする成形品である。大便器１８は、便鉢１６と、便鉢１６の底部に接続される排水通路部３６と、を備える。排水通路部３６は、便鉢１６内から下水側水路（不図示）に排出される汚物の通り道となる。排水通路部３６は、通水方向の空気の流れを遮断するための封水３８が溜められるトラップ部４０を備える。封水３８はトラップ部４０内の他に便鉢１６の底部の内側にまで溜められる。トラップ部４０の下流端部には排水管４２が接続され、トラップ部４０は排水管４２を介して下水側水路に接続される。
【００１９】
図３は図２のＡ−Ａ線断面図である。
便鉢１６は、図２、図３に示すように、汚物を受けるための鉢状の受け面部４４と、受け面部４４の下縁部から下方に窪むとともに便鉢１６の底部に形成される凹部４６と、便鉢１６の上端部に形成されるリム部４８と、を備える。受け面部４４は、平面視にて左右寸法より前後寸法が大きくなるような楕円状に形成される。凹部４６の底面部には排水通路部３６の入口３６ａが開口する。
【００２０】
大便器１８は、リム部４８に形成される二つのリム吐水孔１４Ｌ、１４Ｒと、二つのリム吐水孔１４、１４Ｒに洗浄水を供給するための二つのリム通水路５０Ｌ、５０Ｒ（下流側通水路）と、各リム通水路５０Ｌ、５０Ｒのそれぞれに洗浄水を供給するための共通通水路５２（上流側通水路）とを備える。また、大便器１８は、さらに、前述の水抜き通路２２を大便器１８の一部として備える。
【００２１】
二つのリム吐水孔１４Ｌ、１４Ｒには、図３に示すように、大便器１８の左側に配置される左リム吐水孔１４Ｌ（第１吐水孔）と、大便器１８の右側に配置される右リム吐水孔１４Ｒ（第２吐水孔）とが含まれる。二つのリム通水路５０Ｌ、５０Ｒには、左リム吐水孔１４Ｌに洗浄水を供給するための左リム通水路５０Ｌ（第１下流側通水路）と、右リム吐水孔１４Ｒに洗浄水を供給するための右リム通水路５０Ｒ（第２下流側通水路）とが含まれる。左リム通水路５０Ｌは、便鉢１６の左右両部分１６Ｌ、１６Ｒのうち、便鉢１６の左部分１６Ｌの外周側に形成される。右リム通水路５０Ｒは、便鉢１６の左右両部分１６Ｌ、１６Ｒのうち、便鉢１６の右部分１６Ｒの外周側に形成される。各リム通水路５０Ｌ、５０Ｒは、共通通水路５２の下流端部から大便器１８の左右に分岐して形成される。各リム通水路５０Ｌ、５０Ｒの分岐位置５４は便鉢１６の後方に配置される。
【００２２】
左リム通水路５０Ｌは、始端部となる分岐位置５４から便鉢１６の周方向の一方側（図３中の時計回り方向。以下、単に時計回り方向という）に延びるように形成され、その延び方向の末端位置となる終端部は行き止まりとなるように形成される。左リム通水路５０Ｌの始端側から終端側に向かう経路の途中位置には左リム吐水孔１４Ｌが分岐して形成される。左リム吐水孔１４Ｌは、この途中位置から便鉢１６の内側、かつ、反時計回り方向に延びるように形成される。右リム通水路５０Ｒは、始端部となる分岐位置５４から便鉢１６の周方向の他方側（図３中の反時計回り方向。以下、単に反時計回り方向という）に延びるように形成され、その延び方向の末端位置となる終端部には右リム吐水孔１４Ｒが形成される。
【００２３】
水抜き通路２２は、図２、図３に示すように、左リム通水路５０Ｌ内から水抜き通路２２内に水を導入するための水導入口２２ａと、水抜き通路２２内から便鉢１６の凹部４６内に水を排出するための吐出孔２２ｂとを有する。水導入口２２ａは、左リム通水路５０Ｌにおいて左リム吐水孔１４Ｌより左リム通水路５０Ｌの終端側において、左リム通水路５０Ｌの下面に開口する。また、水導入口２２ａは、大便器１８の左側にて左リム吐水孔１４Ｌより大便器１８の前方側に配置される。吐出孔２２ｂは、便鉢１６の凹部４６に開口する。吐出孔２２ｂは各リム吐水孔１４Ｌ、１４Ｒより低位置に配置される。
【００２４】
水抜き通路２２は、左リム通水路５０Ｌから吐出孔２２ｂにかけて順に設けられる第１部２２ｃ、第２部２２ｄ及び第３部２２ｅを有する。第１部２２ｃは、左リム通水路５０Ｌに開口する水導入口２２ａから下方かつ便鉢１６の径方向内側に向かって延びる。第２部２２ｄは、便鉢１６の外周側にて、第１部２２ｃの下流端部から時計回り方向かつ下方に向かって曲がりながら延びる。第３部２２ｅは、第２部２２ｄの下流端部から吐出孔２２ｂに向かって後方に延びる。第１部２２ｃ及び第２部２２ｄは、後述のように、洗浄水の自重によって洗浄水を高位置から低位置に流下させるための流下部２２ｆとして機能する。
【００２５】
洗浄水供給装置１２から給水管５６（後述する）を通して共通通水路５２に洗浄水が導水されると、共通通水路５２から各リム通水路５０Ｌ、５０Ｒに洗浄水が導水される。左リム通水路５０Ｌに導水される洗浄水は左リム吐水孔１４Ｌに供給され、右リム通水路５０Ｒに導水される洗浄水は右リム吐水孔１４Ｒに供給される。各リム吐水孔１４Ｌ、１４Ｒからは、各リム通水路５０Ｌ、５０Ｒから供給される洗浄水が、リム部４８の内周面に沿って、便鉢１６の反時計回り方向に吐き出される。各リム吐水孔１４Ｌ、１４Ｒから吐き出される洗浄水は、便鉢１６内を反時計回り方向に旋回する旋回流を形成する。この旋回流は、便鉢１６の内面、特に、リム部４８の内周面や受け面部４４の内面を洗浄するための水流となる。
【００２６】
このとき、左リム通水路５０Ｌに導水される洗浄水は水抜き通路２２を通して吐出孔２２ｂに供給される。吐出孔２２ｂからは、便鉢１６の凹部４６内の封水３８に向けて洗浄水が吐き出され、便鉢１６の凹部４６内には反時計回り方向に旋回流が形成される。この旋回流により凹部４６内の汚物が旋回中心に集められ、汚物は受け面部４４上から凹部４６内に流れ込む洗浄水によって、排水通路部３６内の入口３６ａを通して押し流される。このように、吐出孔２２ｂは、導水路２０内の洗浄水を排出する機能の他に、封水３８に洗浄水を吐き出すことによって、汚物の排出を促進するための水流を形成する機能をもつ。
【００２７】
導水路２０の説明に移る。
導水路２０は、図１に示すように、大便器１８に形成される通水路５０Ｌ、５０Ｒ、５２と、洗浄水供給装置１２の排水孔２４ａと通水路５０Ｌ、５０Ｒ、５２を接続する給水管５６とを備える。通水路５０Ｌ、５０Ｒ、５２には、前述の左リム通水路５０Ｌと、右リム通水路５０Ｒと（図１では不図示）、共通通水路５２とが含まれる。給水管５６は、排水孔２４ａに接続されるとともに上下に延びる縦水路部５６ａと、縦水路部５６ａの下端部から大便器１８の前後方向に沿って延びるとともに共通通水路５２の上流端部に接続される横水路部５６ｂとを有する。
【００２８】
導水路２０には、洗浄水供給装置１２から各リム吐水孔１４Ｌ、１４Ｒに向かう経路の途中位置に水溜部５８が設けられる。水溜部５８は、本実施形態において、給水管５６の横水路部５６ｂと、大便器１８の共通通水路５２と、各リム通水路５０Ｌ、５０Ｒの上流側の一部とに設けられる。水溜部５８は、洗浄水供給装置１２から各リム吐水孔１４Ｌ、１４Ｒに向かう経路の分岐位置５４を含む範囲に設けられるといえる。水溜部５８には洗浄水供給装置１２から供給される洗浄水の一部が溜められる。
【００２９】
図４は図３のＢ−Ｂ線断面における左リム通水路５０Ｌ、右リム通水路５０Ｒのみを示す図である。
水溜部５８は各リム通水路５０Ｌ、５０Ｒにおいて下側に凹むように形成される。各リム通水路５０Ｌ、５０Ｒには、図２〜図４に示すように、水溜部５８に溜められる水の非洗浄時の水位を規定するための溢れ縁５８ａが設けられる。ここでの「非洗浄時」とは、便鉢１６内の洗浄を開始する前の待機状態にある時をいう。溢れ縁５８ａは各リム通水路５０Ｌ、５０Ｒの下面の一部により構成される。溢れ縁５８ａは、本実施形態において、各リム通水路５０Ｌ、５０Ｒの上流端部となる分岐位置５４から各リム吐水孔１４Ｌ、１４Ｒに向かう二つの経路の途中位置に設けられる。導水路２０内が洗浄水で満たされたとき、導水路２０内の水は溢れ縁５８ａより下流側に溢れ出ることで、各リム通水路５０Ｌ、５０Ｒのリム吐水孔１４Ｌ、１４Ｒや水抜き通路２２を通して便鉢１６内に排出される。この結果、水溜部５８内に残る水の非洗浄時の水位が規定される。
【００３０】
水溜部５８には、図１、図２に示すように、水溜部５８に溜められる水により水封される水封部６０が設けられる。ここでの「水封」とは、水により通水方向での空気の流れを遮断することをいう。水封部６０は、水溜部５８において水溜部５８の上面が溢れ縁５８ａより低位置にある箇所により構成される。水封部６０は、本実施形態において、給水管５６の横水路部５６ｂと、大便器１８の共通通水路５２とに設けられる。導水路２０は、水封部６０を設けることで、導水路２０内において洗浄水供給装置１２から各リム吐水孔１４Ｌ、１４Ｒに向かう空気の流入が遮断されるように構成される。
【００３１】
以上の便器装置１０の作用効果を説明する。図５は参考例の便器装置１００を示す構成図である。
参考例の便器装置１００は、本実施形態の便器装置１０と比べて、導水路２０に水封部６０がない点で大きく異なる。これにより、参考例の便器装置１００では、後述のように、導水路２０内の洗浄水を水抜き通路２２を通して排出するとき、導水路２０内において洗浄水供給装置１２から各リム吐水孔１４Ｌ、１４Ｒに向かう空気の流入が許容される。
【００３２】
本発明者が検討したところ、導水路２０内の洗浄水を水抜き通路２２を通して排出するとき、導水路２０内において洗浄水供給装置１２から各リム吐水孔１４Ｌ、１４Ｒに向かう空気の流入の有無によって、その排出のされ方が大きく変化するという知見を得た。
【００３３】
詳しくは、参考例の便器装置１００では、各リム通水路５０Ｌ、５０Ｒ内の洗浄水は大きく移動せずにとどまった状態で、自重により水位が徐々に下がるように、各リム吐水孔１４Ｌ、１４Ｒや水抜き通路２２から排出されていた。
【００３４】
図６は本実施形態に係る便器装置１０での導水路２０内での洗浄水の排出のされ方を模式的に示す図である。図６（ａ）は洗浄水供給装置１２が洗浄水を供給する状態から、洗浄水の供給を停止した状態に切り替わった直後の状態を示し、図６（ｂ）〜図６（ｄ）は図６（ａ）の状態からの変化を時系列順に示す。
各リム通水路５０Ｌ、５０Ｒ内の洗浄水の多くは、図６（ｂ）〜図６（ｄ）に示すように、その場にとどまった状態にはならず、水抜き通路２２に向かう方向Ｐａに移動したうえで水抜き通路２２から排出されていた。これにより、参考例の便器装置１００と比べて、各リム通水路５０Ｌ、５０Ｒ内の排出すべき洗浄水の多くを、各リム吐水孔１４Ｌ、１４Ｒからではなく、水抜き通路２２から排出できていた。この結果、導水路２０内の排出すべき洗浄水の各リム吐水孔１４Ｌ、１４Ｒからの排出量を大きく減らすことができ、すじ状水の長期間の流れ落ちを効果的に防止できる。
【００３５】
本発明者が実験的に検討したところ、参考例の便器装置１００では、洗浄水供給装置１２が洗浄水の供給を停止してから、各リム吐水孔１４Ｌ、１４Ｒからのすじ状水の流れ落ちが断続的になり始めるまで１分以上を要していた。これに対して、本実施形態に係る便器装置１０では、各リム吐水孔１４Ｌ、１４Ｒからのすじ状水の流れ落ちが断続的になりはじめるまで１０秒程度を要するにとどまった。すじ状水の流れ落ちが断続的になりはじめるまでの時間が短いということは、それだけすじ状水の流れ落ちが完全に止まるまでに要する時間を短くでき、すじ状水の長期間の流れ落ちを効果的に防止できることになる。このメカニズムは明らかではないが、以下の理由によるものと推察される。
【００３６】
図７は本実施形態の便器装置１０の導水路２０を模式的に示す図であり、図８は参考例の便器装置１００の導水路２０を模式的に示す図である。図７、図８も導水路２０の同じ箇所を示しており、図７（ａ）の範囲Ｓａは図３のＣ−Ｃ線断面に対応する。各図では左リム吐水孔１４Ｌの位置を併せて示す。図７（ａ）、図８（ａ）では、洗浄水供給装置１２が洗浄水を供給する状態から、洗浄水の供給が停止した状態に切り替わった直後の状態を示す。このとき、各リム通水路５０Ｌ、５０Ｒや給水管５６を含む導水路２０内は洗浄水で満ちている。
【００３７】
参考例の便器装置１００と、本実施形態の便器装置１０の何れの場合でも、給水管５６の縦水路部５６ａ内の洗浄水が自重によって水位が下がるように、導水路２０内の洗浄水が各リム吐水孔１４Ｌ、１４Ｒや水抜き通路２２を通して排出される。
【００３８】
また、参考例の便器装置１００と、本実施形態の便器装置１０のいずれの場合でも、水抜き通路２２の流下部２２ｆ内の洗浄水は自重により流れ落ちることで、水抜き通路２２の吐出孔２２ｂから便鉢１６内に排出される。これにより、導水路２０内の洗浄水には水抜き通路２２内で流れ落ちた体積分の流体を導水路２０内から取り込もうとする負圧Ｆａが発生する。この負圧Ｆａによって、導水路２０内の洗浄水は水抜き通路２２に流入し、これに伴い各リム吐水孔１４Ｌ、１４Ｒや導水路２０の上流端を通して外部から空気が取り込まれる。
【００３９】
ここで、参考例の便器装置１００と本実施形態の便器装置１０とでは、導水路２０内への外部からの空気の取り込み方が異なっている。詳しくは、参考例の便器装置１００では、導水路２０のリム通水路５０Ｌ、５０Ｒ内での洗浄水の水位によらず、導水路２０の上流端と各リム吐水孔１４Ｌ、１４Ｒとの両方を通して空気を取り込む状態が継続する。これに対して、本実施形態の便器装置１０では、導水路２０のリム通水路５０Ｌ、５０Ｒ内での水位によらず、水封部６０内に溜められる水により水封された状態が継続する。これは、導水路２０から水抜き通路２２に向かう負圧Ｆａによっては水封部６０内の重さのある水を汲み上げることができず、水封部６０内の水を移動させ難くなるためと考えられる。つまり、これより以降は、導水路２０内において洗浄水供給装置１２から各リム吐水孔１４Ｌ、１４Ｒに向かう空気の流入が遮断された状態が維持され、導水路２０内には各リム吐水孔１４Ｌ、１４Ｒのみを通して空気が取り込まれる状態になる。
【００４０】
導水路２０内に各リム吐水孔１４Ｌ、１４Ｒのみから空気を取り込む状態にあるとき、導水路２０の上流端からも空気を取り込む状態にあるときと比べて、各リム吐水孔１４Ｌ、１４Ｒからの空気の取り込み量が大きくなる。各リム吐水孔１４Ｌ、１４Ｒからの空気の取り込み量が大きいということは、導水路２０内において各リム吐水孔１４Ｌ、１４Ｒの周囲の水を、前述の負圧Ｆａによって、水抜き通路２２に向けて移動させ易くなることを意味する。これにより、導水路２０において各リム通水路５０Ｌ、５０Ｒ内の排出すべき洗浄水の多くを、その場にとどめずに、水抜き通路２２から排出できると考えられる。このような洗浄水の排出のされ方は、リム通水路５０Ｌ、５０Ｒ内に洗浄水が満ちている状態だけでなく、リム通水路５０Ｌ、５０Ｒ内の洗浄水の水位が下がってリム通水路５０Ｌ、５０Ｒ内に洗浄水が満ちていない状態のときでも進行する。
【００４１】
これに対して、参考例の便器装置１００では、導水路２０内に各リム吐水孔１４Ｌ、１４Ｒのみから空気を取り込む状態になることができず、各リム吐水孔１４Ｌ、１４Ｒと導水路２０の上流端との両方から空気を取り込む状態になり続ける。よって、各リム吐水孔１４Ｌ、１４からの空気の取り込み量が小さい状態が続くことになり、導水路２０内において各リム吐水孔１４Ｌ、１４Ｒの周囲の水が前述の負圧Ｆａにより水抜き通路２２に移動し難くなる。これにより、各リム通水路５０Ｌ、５０Ｒ内の洗浄水が大きく移動せずにとどまった状態になり易くなり、自重により水位が徐々に下がるように、各リム吐水孔１４Ｌ、１４Ｒや水抜き通路２２から洗浄水が排出されるものと考えられる。
【００４２】
洗浄水供給装置１２が洗浄水を供給する状態から、洗浄水の供給を停止した状態に切り替わった直後の状態を改めて考える（図６（ａ）参照）。水抜き通路２２内の洗浄水が吐出孔２２ｂから排出されると、各リム通水路５０Ｌ、５０Ｒ内の洗浄水には、図６（ｂ）に示すように、水抜き通路２２内に向かう負圧Ｆａが付与される。これにより、導水路２０において各リム吐水孔１４Ｌ、１４Ｒから水抜き通路２２に向かう経路にある洗浄水は水抜き通路２２に流入する。
【００４３】
各リム通水路５０Ｌ、５０Ｒ内の洗浄水が水抜き通路２２から排出される途中、右リム通水路５０Ｒから水抜き通路２２に向かう経路の途中位置は、図６（ｃ）に示すように、左リム吐水孔１４Ｌから取り込まれる空気Ａｒにより満たされる場合がある。このとき、右リム通水路５０Ｒから水抜き通路２２に向かう経路にある洗浄水は空気Ａｒにより第１洗浄水Ｗ１、第２洗浄水Ｗ２に分断される。このときでも、この第２洗浄水Ｗ２は水抜き通路２２に向かう方向Ｐａに移動しているが、これは慣性や負圧Ｆａによって移動しているものと考えられる。
【００４４】
この後、図６（ｄ）に示すように、前述の第２洗浄水Ｗ２が左リム吐水孔１４Ｌから水抜き通路２２に向かう経路を横断するように満たす場合を考える。このとき、第２洗浄水Ｗ２には、先ほどと同様、水抜き通路２２内に向かう負圧Ｆａが付与される。これにより、第２洗浄水Ｗ２も水抜き通路２２に流入する。このとき、水溜部５８にある洗浄水の大半は汲み上げることができず、水抜き通路２２に向かって移動せずにとどまったままとなる（図中のダブルハッチング参照）。以上がメカニズムの推察である。
【００４５】
次に、本実施形態に係る便器装置１０の他の特徴を説明する。
導水路２０には水溜部５８が設けられるため、導水路２０内の水が各リム吐水孔１４Ｌ、１４Ｒや水抜き通路２２を通して排出された後、ある程度の水を水溜部５８内に溜めた状態で残すことができる。よって、洗浄水供給装置１２から洗浄水を供給する時、導水路２０内を早期に満水状態にでき、導水路２０から各リム吐水孔１４Ｌ、１４Ｒを通して高水圧の洗浄水を早期に吐き出せるようになる。
【００４６】
また、水溜部５８には水溜部５８に溜められる水により水封される水封部６０が設けられるため、水封部６０がないよりも、水溜部５８に溜められる水の水面の表面積が小さくなる。この水面の表面積が小さくなると、水溜部５８内の水が波打つように揺れ動いたとき、揺れ動く水の量がそれだけ小さくなることで、水溜部５８内の水が大きく揺れ動き難くなる。この結果、水溜部５８内の水が溢れ縁５８ａを超えて下流側の各リム吐水孔１４Ｌ、１４Ｒに溢れ難くなり、それだけ各リム吐水孔１４Ｌ、１４Ｒからすじ状水が長期間に亘り流れ落ちるのを効果的に防止できる。
【００４７】
図２を参照する。各リム吐水孔１４Ｌ、１４Ｒから洗浄水を便鉢１６内に供給しているとき、つまり、便鉢１６内を洗浄しているとき、封水３８の最高水位ＷＬ２は非洗浄時の水位ＷＬ１より高くなる。ここで、前述のように、導水路２０において各リム吐水孔１１４Ｌ、１４Ｒから水抜き通路２２に向かう経路にある洗浄水は、水抜き通路２２内に向かう負圧Ｆａによって、水抜き通路２２に向けて移動する。この経路にある洗浄水が移動し始めると、各リム吐水孔１４Ｌ、１４Ｒからの洗浄水の吐き出しが終了することになる。ここでの「洗浄水の吐き出しが終了」とは、各リム吐水孔１４Ｌ、１４Ｒから吐き出される洗浄水の単位時間の流量が最大時の１／１０以下になったときをいう。
【００４８】
また、吐出孔２２ｂは、各リム吐水孔１４Ｌ、１４Ｒからの洗浄水の吐き出しが終了したとき、便鉢１６の底部に溜められる封水３８内に全体が水没する位置に配置される。これにより、各リム吐水孔１４Ｌ、１４Ｒからの洗浄水の吐き出しが終了したとき、吐出孔２２ｂから水抜き通路２２を通して逆流した空気によって、各リム吐水孔１４Ｌ、１４Ｒと吐出孔２２ｂとが水抜き通路２２内の空気を通して連通されるのを防止できる。この結果、導水路２０から水抜き通路２２に向かう方向に発生する負圧Ｆａによって、各リム通水路５０Ｌ、５０Ｒ内の洗浄水を水抜き通路２２に向けて長期間に亘り安定して移動させられるようになる。
【００４９】
なお、各リム吐水孔１４Ｌ、１４Ｒからの洗浄水の吐き出しが終了した時点では、吐出孔２２ｂからの洗浄水の吐き出しは継続している。このとき、水抜き通路２２内の洗浄水は自重により流下しており、その水の大半は吐出孔２２ｂから吐き出される。この水抜き通路２２内の洗浄水の大半が流下し終えた時点で、吐出孔２２ｂからの洗浄水の吐き出しが終了する。つまり、各リム吐水孔１４Ｌ、１４Ｒからの洗浄水の吐き出しが終了してから、吐出孔２２ｂからの洗浄水の吐き出しが終了する。このように構成するうえでは、各リム吐水孔１４Ｌ、１４Ｒより吐出孔２２ｂを低位置に配置し、かつ、導水路２０内の洗浄水を水抜き通路２２を通して吐出孔２２ｂから排出するようにすればよい。ここでの「洗浄水の吐き出しが終了」とは、前述と同様、吐出孔２２ｂから吐き出される洗浄水の単位時間の流量が最大時の１／１０以下になったときをいう。
【００５０】
また、水抜き通路２２の水導入口２２ａは、左リム吐水孔１４Ｌや右リム吐水孔１４Ｒより低位置に全体が配置される。本実施形態に係る水導入口２２ａは、各リム吐水孔１４Ｌ、１４Ｒの下端より低位置に全体が配置される。これにより、各リム吐水孔１４Ｌ、１４Ｒと同じ高さ位置や高位置に水導入口２２ａが配置されるよりも、導水路２０内の洗浄水の多くを自重により水導入口２２ａから水抜き通路２２を通して排出できる。よって、各リム吐水孔１４Ｌ、１４Ｒからの洗浄水の排出量を減らすことで、リム吐水孔１４Ｌ、１４Ｒからすじ状水が長期間に亘り流れ落ちるのを効果的に防止できる。
【００５１】
［第２の実施の形態］
図９は第２実施形態の便器装置１０の構成図である。
第１実施形態の便器装置１０は、導水路２０において洗浄水供給装置１２から各リム吐水孔１４Ｌ、１４Ｒに向かう空気の流入を遮断するように構成するため、導水路２０に水封部６０を設けた。本実施形態の便器装置１０は、このように構成するため、洗浄水供給装置１２のオーバーフロー通路３４を開閉する第３開閉弁６２がオーバーフロー通路３４に設置される点が相違する。第３開閉弁６２は電磁弁であり、制御装置３３により開閉状態が制御される。第３開閉弁６２が開弁状態にあるとき、オーバーフロー通路３４を通して導水路２０に向けて空気の流入が許容される。第３開閉弁６２が閉弁状態にあるとき、オーバーフロー通路３４を通して導水路２０に向けて空気の流入が遮断される。
【００５２】
図１０は洗浄水供給装置１２が洗浄水を供給する状態から、洗浄水の供給を停止した状態に切り替わった直後の状態を示す図である。
この状態にあるとき、制御装置３３は、第３開閉弁６２を開弁状態から閉弁状態に切り替える。これを実現するため、第１開閉弁２６を開いた状態から、第１開閉弁２６を閉めた状態に切り替わったことを検知するためのセンサを用いてもよい。これは、洗浄水供給装置１２が洗浄水を供給する状態から、洗浄水の供給を停止した状態に切り替わったことを検知することになる。この場合、制御装置３３は、第１開閉弁２６を閉めた状態に切り替わったことを示す検知信号をセンサから受け取った時点で、第３開閉弁６２の開閉状態を切り替える。この他にも、制御装置３３は、洗浄水の供給を開始してから所定の待機時間が経過した時点で第３開閉弁６２の開閉状態を切り替えてもよい。この待機時間は、洗浄水の供給を開始してから終了するまでの経過時間として想定される時間より短くなるように設定される。
【００５３】
第３開閉弁６２が閉弁状態になることにより、導水路２０において洗浄水供給装置１２から各リム吐水孔１４Ｌ、１４Ｒに向かう空気の流入が遮断される。水抜き通路２２内の洗浄水が吐出孔２２ｂから排出されると、図６で説明したのと同様、各リム通水路５０Ｌ、５０Ｒ内の洗浄水は、導水路２０から水抜き通路２２に向かう方向に発生する負圧Ｆａによって、水抜き通路２２に向けて移動させられる。このとき、導水路２０において各リム通水路５０Ｌ、５０Ｒの分岐位置５４より上流側にある経路の洗浄水の大半は水抜き通路２２に向かって流れずに残ったままとなる。導水路２０の上流端からの空気の流入が遮断されており、その経路の下流端（分岐位置５４）から大気圧により押されるためである。
【００５４】
なお、制御装置３３は、洗浄水の供給を停止した状態から洗浄水を供給する状態に切り替わる前に、第３開閉弁６２を閉弁状態から開弁状態に切り替える。これを実現するため、制御装置３３は、第１開閉弁２６を開くための回転ハンドルの回転操作を受けると、先に第３開閉弁６２を開弁状態に切り替えてから、第１開閉弁２６を開くようにしてもよい。
【００５５】
本実施形態に係る便器装置１０によっても、第１実施形態と同様、すじ状水の長期間の流れ落ちを効果的に防止することができる。
【００５６】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５７】
大便器１８は、洗い落し式、サイホン式等の洗浄方式により便鉢１６内を洗浄してもよい。また、大便器１８は陶器の他に樹脂等を素材としてもよい。また、洗浄水供給装置１２は、重力給水式の他に、水道直圧式、ポンプ式等の給水方式が用いられてもよい。
【００５８】
導水路２０内において洗浄水供給装置１２から各リム吐水孔１４Ｌ、１４Ｒに向かう空気の流入が遮断されるように構成するための手段として、第１実施形態では導水路２０に水封部６０を設ける例を説明した。また、第２実施形態では、この手段として、洗浄水供給装置１２において導水路２０内に空気を取り込む通路（オーバーフロー通路）に第３開閉弁６２を設置する例を説明した。この手段はこれらに限られない。たとえば、第３開閉弁６２として電磁弁を用いる替わりに逆止弁を用いてもよい。
【００５９】
また、導水路２０内に水封部６０を設ける場合、水洗大便器１８の各リム通水路５０Ｌ、５０Ｒや共通通水路５０のみに水封部６０を設けてもよいし、給水管５６のみに水封部６０を設けてもよい。
【００６０】
また、水抜き通路２２の水導入口２２ａは水洗大便器１８の左リム通水路５０Ｌに開口する例を説明したが、共通通水路５０に開口してもよいし、給水管５６に開口してもよい。
【００６１】
また、水抜き通路２２の吐出孔２２ｂは便鉢１６の底部に開口する例を説明したが、排水通路部３６に開口していてもよい。この場合、吐出孔２２ｂは排水通路部３６内の下流側に向けて洗浄水を吐き出し可能な位置に開口してもよい。
【００６２】
また、水抜き通路２２の吐出孔２２ｂは、水洗大便器１８の便鉢１６の底部や排水通路部３６の他にも、洗浄水供給装置１２のタンク２４等の水洗大便器１８以外の箇所に開口していてもよい。
【００６３】
大便器１８は、左右のリム通水路５０Ｌ、５０Ｒを備えていてもよいし、一つのリム通水路のみを備えていてもよい。また、一つのリム通水路につき一つのリム吐水孔が形成される例を説明したが、一つのリム通水路につき二つ以上のリム吐水孔が形成されてもよい。
【００６４】
以上の実施形態、変形例により具体化される発明を一般化すると、以下の技術的思想が導かれる。
【００６５】
前述の課題を解決するための手段に記載の態様の便器装置は、前記導水路には、前記洗浄水供給装置から前記吐水孔に向かう経路の途中位置に水溜部が設けられ、前記水溜部には、該水溜部に溜められる水により水封される水封部が設けられてもよい。
この態様によれば、水溜部に水封部がないよりも、水溜部に溜められる水の水面の表面積が小さくなる。この水面の表面積が小さくなると、水溜部内の水が波打つように揺れ動いたとき、揺れ動く水の量がそれだけ小さくなることで、水溜部内の水が大きく揺れ動きにくくなる。この結果、水溜部内の水が下流側に溢れ難くなり、それだけ吐水孔からすじ状水が長期間に亘り流れ落ちるのを効果的に防止できる。
【００６６】
前述の態様の便器装置は、前記水抜き通路は、水の自重によって該水を排出可能であってもよい。
【００６７】
前述の態様の便器装置は、前記便鉢の底部に接続される排水通路部を更に備え、前記水抜き通路は、前記便鉢又は前記排水通路部に開口する吐出孔を有し、前記吐出孔は、前記吐水孔からの洗浄水の吐き出しが終了したとき、前記排水通路部及び前記便鉢の底部に溜められる水の中で水没する位置に配置されてもよい。
この態様によれば、吐水孔からの洗浄水の吐き出しが終了したとき、吐出孔から水抜き通路を通して逆流した空気によって、吐水孔と吐出孔とが水抜き通路内の空気を通して連通されるのを防止できる。この結果、導水路から水抜き通路に向かう方向に発生する負圧によって、導水路内の洗浄水を水抜き通路に向けて長期間に亘り安定して移動させられるようになる。
【００６８】
前述の態様の便器装置は、前記水抜き通路は、前記導水路から洗浄水を導入するための水導入口を有し、前記水導入口は、前記吐水孔より低位置に全体が配置されてもよい。
この態様によれば、吐水孔と同じ高さ位置や高位置に水導入口が配置されるよりも、導水路内の洗浄水の多くを自重により水導入口から水抜き通路を通して排出できる。よって、吐水孔からの洗浄水の排出量を減らすことで、吐水孔からすじ状水が長期間に亘り流れ落ちるのを効果的に防止できる。
【符号の説明】
【００６９】
１０…便器装置、１２…洗浄水供給装置、１４Ｌ…左リム吐水孔（第１リム吐水孔）、１４Ｒ…右リム吐水孔（第２リム吐水孔）、１６…便鉢、１８…水洗大便器、２０…導水路、２２…通水抜き路、２２ａ…水導入口、２２ｂ…吐出孔、２２ｆ…流下部、３６…排水通路部、３６ａ…入口、５０Ｌ…左リム通水路（第１下流側通水路）、５０Ｒ…右リム通水路（第２下流側通水路）、５２…共通通水路（上流側通水路）、５８…水溜部、６０…水封部、１００…便器装置。
【図１】
0006479623.tif 000002
【図２】
0006479623.tif 000003
【図３】
0006479623.tif 000004
【図４】
0006479623.tif 000005
【図５】
0006479623.tif 000006
【図６】
0006479623.tif 000007
【図７】
0006479623.tif 000008
【図８】
0006479623.tif 000009
【図９】
0006479623.tif 000010
【図１０】
0006479623.tif 000011